(57)【要約】【課題】  大量の紙が消費される問題を有効に解決し、自然環境の保護に貢献するとともに、コスト面での負担を低減し、商品価格の値下げやサービスの向上などにより消費者に還元する。【解決手段】  インターネットＮ上に不特定多数の端末Ｃ１，Ｃ２，Ｃ３…により閲覧可能にアップロードされたパンフレット類Ｐを処理する際に用いるインターネット画面のパンフレット類処理方法であって、パンフレット類Ｐをデータとして作成するに際し、パンフレット類ＰのデータＤｐをページＰｐ…毎にプリントアウト可能にするとともに、各ページＰｐ…を他の価値に変換するための価値表示部Ｖｉｓ…を表示し、作成したパンフレット類ＰのデータＤｐを、不特定多数の端末Ｃ１，Ｃ２，Ｃ３…により閲覧可能となるように、インターネットＮ上にアップロードする。【選択図】  図１
2015005158.tif 000002
【特許請求の範囲】
【請求項１】
インターネット上に不特定多数の端末により閲覧可能にアップロードされたパンフレット類を処理する際に用いるインターネット画面のパンフレット類処理方法であって、前記パンフレット類をデータとして作成するに際し、前記パンフレット類のデータをページ毎にプリントアウト可能にするとともに、各ページに、各ページを他の価値に変換するための価値表示部を表示し、作成した前記パンフレット類のデータを、不特定多数の端末により閲覧可能となるように、インターネット上にアップロードすることを特徴とするインターネット画面のパンフレット類処理方法。
【請求項２】
前記パンフレット類には、少なくとも、パンフレット，カタログ，の一方又は双方を含むことを特徴とする請求項１記載のインターネット画面のパンフレット類処理方法。
【請求項３】
前記価値表示部には、各ページに割り当てられた価格に係わる表示を行うことを特徴とする請求項１又は２記載のインターネット画面のパンフレット類処理方法。
【請求項４】
前記価値表示部には、各ページに割り当てられたポイントに係わる表示を行うことを特徴とする請求項１又は２記載のインターネット画面のパンフレット類処理方法。
【請求項５】
前記価値表示部には、一又は二以上のページに対応させた他の商品及び／又はサービスに係わる表示を行うことを特徴とする請求項１又は２記載のインターネット画面のパンフレット類処理方法。
【発明の詳細な説明】
【技術分野】
【０００１】
本発明はインターネット上にアップロードされたパンフレット類の処理に用いることができるインターネット画面のパンフレット類処理方法に関する。
【背景技術】
【０００２】
一般に、企業やお店等の事業者が発行するパンフレットやカタログ等のパンフレット類は、印刷物（特許文献１参照）として提供されているが、カタログ等は掲載される商品やサービスの数が増えるにしたがってページ数も増加し、一冊の厚い本になることも少なくない。また、カタログ等は不特定多数の消費者を対象とするため、通常、余裕を見越した相当の数量を用意する必要があるとともに、元々、商品やサービスの販売促進等を目的とするため、内容的及び質的にもより高くする傾向がある。したがって、このようなパンフレット類（印刷物）は、大量の紙が消費されるとともに、他方、消費者にとって必要となるのは一部のページに限られることも少なくないことから無駄になる割合も多いなど、自然環境を保護する観点からは無視できない重要な問題（課題）となる。加えて、製作するコストも高くなり、結果的に、商品やサービスに転嫁されることから、ビジネス的な観点からも好ましいものではないとともに、不必要に厚いカタログ等は消費者にとっても不便となる。
【０００３】
一方、近時、インターネットの進歩によりデータ化されたいわゆる電子パンフレット類（特許文献２，３参照）も普及している。電子パンフレット類によれば、消費者は、自分のパソコン（パーソナルコンピュータ）のディスプレイ画面上に電子パンフレット類を表示し、上述した印刷物としてのパンフレット類と同様の内容に対して手軽に閲覧することができる。
【先行技術文献】
【特許文献】
【０００４】
【特許文献１】特開２００３−２６６９８３号公報
【特許文献２】特開平１０−１６２０８１号公報
【特許文献３】特開平１０−２４０８３０号公報
【発明の概要】
【発明が解決しようとする課題】
【０００５】
しかし、上述した従来のパンフレット類（印刷物及びデータを含む）、特に、パンフレット類の発行に際しては、次のような問題点があった。
【０００６】
第一に、電子パンフレット類は、印刷物として存在するパンフレット類をそのままデータ化したものも多く、また、ディスプレイ上で単に閲覧できるに留まるため、結局、電子パンフレット類と印刷物としてのパンフレット類の双方を併存させざるを得ないのが実情であり、前述した大量の紙が消費される問題はほとんど解決されない。
【０００７】
第二に、印刷物としてのパンフレット類とデータ化されたパンフレット類の併存は、コスト面での負担も大きくなる。即ち、印刷物とデータ化の双方のコストが必要となるため、ある程度の情報量や質の確保を考慮した場合、特に、中小企業や個人等の事業者にとっては無視できない問題となる。
【０００８】
本発明は、このような背景技術に存在する課題を解決したインターネット画面のパンフレット類処理方法の提供を目的とするものである。
【課題を解決するための手段】
【０００９】
本発明に係るインターネット画面のパンフレット類処理方法は、上述した課題を解決するため、インターネットＮ上に不特定多数の端末Ｃ１，Ｃ２，Ｃ３…により閲覧可能にアップロードされたパンフレット類Ｐを処理する際に用いるインターネット画面のパンフレット類処理方法であって、パンフレット類Ｐをデータとして作成するに際し、パンフレット類ＰのデータＤｐをページＰｐ…毎にプリントアウト可能にするとともに、各ページＰｐ…を他の価値に変換するための価値表示部Ｖｉｓ…を表示し、作成したパンフレット類ＰのデータＤｐを、不特定多数の端末Ｃ１，Ｃ２，Ｃ３…により閲覧可能となるように、インターネットＮ上にアップロードすることを特徴とする。
【００１０】
この場合、発明の好適な態様により、パンフレット類Ｐには、少なくとも、パンフレット，カタログ，の一方又は双方を含ませることができる。また、価値表示部Ｖｉｓ…には、各ページＰｐ…に割り当てられた価格に係わる表示Ｖｉｓｍ，各ページＰｐ…に割り当てられたポイントに係わる表示Ｖｉｓｐ，或いは一又は二以上のページＰｐ…に対応させた他の商品及び／又はサービスに係わる表示Ｖｉｓｇ，等を行うことができる。
【発明の効果】
【００１１】
このような手法による本発明に係るインターネット画面のパンフレット類処理方法によれば、次のような顕著な効果を奏する。
【００１２】
（１）  パンフレット類ＰのデータＤｐをページＰｐ…毎にプリントアウト可能にするとともに、各ページＰｐ…を他の価値に変換するための価値表示部Ｖｉｓ…を表示し、作成したパンフレット類ＰのデータＤｐを、不特定多数の端末Ｃ１，Ｃ２，Ｃ３…により閲覧可能となるように、インターネットＮ上にアップロードできるようにしたため、消費者は、自分にとって必要なページＰｐ…のみを収めた、いわば、オリジナルパンフレットやオリジナルカタログ等のオリジナルパンフレット類を作成することができる。しかも、この場合、オリジナルパンフレット類は、他の価値に変換することができるため、消費者自身の出費により作成するものではなく、最終的に事業者のコストにすることができる。この結果、従来のような印刷物は不要になり、事業者及び消費者の双方にとって必要な紙のみが使用されるとともに、その促進化が可能となり、大量の紙が消費される従来の問題を有効に解決でき、自然環境の保護にも大きく貢献できる。
【００１３】
（２）  特に、事業者は、印刷物としてのパンフレット類が不要となり、データ化されたパンフレット類のみを用意すれば足りるため、コスト面での負担を著しく低減できるとともに、情報量や質の確保も十分に可能となり、中小企業や個人等の事業者にとって大きなメリットとなる。また、結果的に、商品価格の値下げやサービスの向上など、消費者のメリットとして還元できるとともに、不必要に厚いパンフレット類が排除されることから消費者の利便性向上にも寄与できる。
【００１４】
（３）  好適な態様により、パンフレット類Ｐに、少なくとも、パンフレット，カタログ，の一方又は双方を含ませれば、紙の使用量及び発行数が比較的多くなる傾向のある二つの印刷物を対象にできるため、本発明に係るパンフレット類処理方法による効果を有効に確保できる。
【００１５】
（４）  好適な態様により、価値表示部Ｖｉｓに、各ページＰｐ…に割り当てられた価格に係わる表示Ｖｉｓｍを行うようにすれば、最も直接的かつ判り易い態様により実施できる。
【００１６】
（５）  好適な態様により、価値表示部Ｖｉｓに、各ページＰｐ…に割り当てられたポイントに係わる表示Ｖｉｓｐを行うようにすれば、価格に対して間接的な態様により実施できるため、消費者は比較的抵抗感なく利用できる。
【００１７】
（６）  好適な態様により、価値表示部Ｖｉｓに、一又は二以上のページＰｐ…に対応させた他の商品及び／又はサービスに係わる表示Ｖｉｓｇを行うようにすれば、ポイントに対して更に間接的な態様により実施可能となるため、消費者はより抵抗感なく楽しみながら利用できる。
【図面の簡単な説明】
【００１８】
【図１】本発明の好適実施形態に係るインターネット画面のパンフレット類処理方法及びその利用方法を説明するためのフローチャート、
【図２】同パンフレット類処理方法及びその利用方法を実施するシステムを示すブロック系統図、
【図３】同パンフレット類処理方法の実施に用いるインターネット画面図、
【図４】同パンフレット類処理方法の実施に用いる他のインターネット画面図、
【図５】同パンフレット類処理方法の実施に用いる変更例に係るインターネット画面図、
【図６】同パンフレット類処理方法の実施に用いる他の変更例に係るインターネット画面図、
【発明を実施するための形態】
【００１９】
次に、本発明に係る好適実施形態を挙げ、図面に基づき詳細に説明する。
【００２０】
まず、本実施形態に係るインターネット画面のパンフレット類処理方法及びその利用方法の実施に用いるシステム系統１の構成について、図２を参照して説明する。
【００２１】
システム系統１において、Ｎはインターネット（インターネット網）であり、図２は、このインターネットＮに、事業者Ｂのコンピュータ（サーバコンピュータ）Ｃｓと不特定多数の端末Ｃ１，Ｃ２，Ｃ３…が接続された状態を示している。
【００２２】
この場合、事業者Ｂには各種の企業やお店等が含まれ、パンフレット類Ｐの提供者側となる。したがって、コンピュータＣｓには、パンフレット類ＰのデータＤｐを登録したデータベース１１が付属する。一方、不特定多数の端末Ｃ１，Ｃ２，Ｃ３…には、不特定多数の消費者Ｕ…が所有するパソコン（パーソナルコンピュータ）等のコンピュータを含み、パンフレット類Ｐに係わるデータＤｐの利用者側となる。なお、端末Ｃ１（Ｃ２，Ｃ３…も同じ）は、図２に示すように、コンピュータ本体１２と、このコンピュータ本体１２に接続されたディスプレイ１３及びプリンタ１４を備えるコンピュータシステムとして構成されることが望ましい。
【００２３】
次に、このようなシステム系統１を利用して実施できる本実施形態に係るインターネット画面のパンフレット類処理方法及びその利用方法について、図１に示すフローチャート及び図２〜図４を参照して説明する。
【００２４】
まず、事業者Ｂは、自己の事業に係わるパンフレット，カタログ等のパンフレット類ＰをデータＤｐとして作成する（ステップＳ１）。なお、パンフレット類Ｐに、少なくとも、パンフレットとカタログの一方又は双方を含ませれば、紙の使用量及び発行数が比較的多くなる傾向のある二つの印刷物を対象にできるため、本発明に係るパンフレット類処理方法による効果を有効に確保できる。また、データ化を行うには、公知の様々な方式が存在するが特定の方式に限定されるものではなく、基本的には、コンピュータＣｓを通してインターネットＮ上にアップロードし、任意の端末Ｃ１（Ｃ２，Ｃ３…も同じ）により閲覧可能にするとともに、パンフレット類ＰのページＰｐ…毎にプリントアウト可能にすればよい。
【００２５】
一方、本発明に従って、パンフレット類Ｐの各ページＰｐ…には、図４に示すように、各ページＰｐ…を他の価値に変換するための価値表示部Ｖｉｓ…を表示する。図４は、インターネット画面Ｖｉを示し、表示内容は、パンフレット類Ｐにおける任意のページＰｐを示している。実施形態に係る価値表示部Ｖｉｓは、ページＰｐの右下隅に表示するとともに、表示内容として、価格に係わる表示Ｖｉｓｍ、具体的には、「〇〇円」の表示を行う例を示している。「〇〇円」は、「〇〇円」が表示されたページＰｐの価値が、〇〇円であることを示している。即ち、表示されたページＰｐが他の価値である「〇〇円」に変換できることを示している。このことは、後に詳述するが、このページＰｐをプリントアウトし、発行している事業者Ｂに持参すれば、取引成立後、「〇〇円」を持参した者（消費者Ｕ）に還元することを意味している。
【００２６】
したがって、図３に示すように、パンフレット類ＰのトップページＰｐｆ等に説明表示部Ｖｉｔを表示することが望ましい。具体的には、例示するような説明、即ち、「−特典−  ご来社時に必要なページをプリントしてお持ち下さい（取引成立時に表示額を割引）」等の表示を行うことが望ましい。このように、価値表示部Ｖｉｓに、各ページＰｐ…に割り当てられた価格に係わる表示Ｖｉｓｍを行うようにすれば、最も直接的かつ判り易い態様により実施できる。
【００２７】
他方、データＤｐとして作成したパンフレット類Ｐは、事業者Ｂ側のコンピュータＣｓにおけるデータベース１１として登録するとともに、事業者Ｂのホームページ等に閲覧可能に表示し、インターネットＮ上にアップロードする（ステップＳ３）。これにより、任意の消費者Ｕ…が自己の端末（パソコン）Ｃ１…からアクセスし、ディスプレイ１３に表示されるダウンロードしたインターネット画面Ｖｉを通してパンフレット類Ｐの閲覧が可能となる。以上が、インターネット画面Ｖｉのパンフレット類処理方法の基本的な処理態様となる。
【００２８】
次に、消費者Ｕ側における利用方法の一例について説明する。まず、任意の消費者Ｕが事業者Ｂに興味を持った場合、インターネットＮに接続した端末Ｃ１（Ｃ２，Ｃ３…も同じ）から、アップロードされた事業者Ｂのパンフレット類Ｐにアクセスし、端末Ｃ１にダウンロードすることにより、ディスプレイ１３にパンフレット類Ｐをインターネット画面Ｖｉとして表示する（ステップＳ４）。これにより、消費者Ｕは、パンフレット類Ｐの各ページＰｐ…を任意に閲覧することができる（ステップＳ５）。
【００２９】
そして、消費者Ｕがパンフレット類Ｐにおける具体的な商品或いはサービスに興味を持ち、事業者Ｂと取引を希望する場合、従来のように、取引の対象となる商品或いはサービスに対応する印刷物としてのパンフレット類Ｐを入手するのではなく、インターネット画面Ｖｉに表示されるパンフレット類Ｐを見て、必要なページＰｐ…のみをプリントアウトし、これにより、消費者Ｕにとってのオリジナルパンフレット類Ｐｕをを作成することができる。
【００３０】
即ち、消費者Ｕは、まず、パンフレット類Ｐの各ページＰｐ…を閲覧しながら、必要と思われるページＰｐ…を選択する（ステップＳ６）。また、選択したページＰｐ…はプリンタ１４を用いてプリントアウトする（ステップＳ７）。この場合、必要と思われるページＰｐ…は全てプリンタアウトすることができる（ステップＳ８）。図２中、Ｐｕｐ…は、プリントアウトしたプリント紙を示す。そして、全てのプリントアウトが終了したなら、例えば、各プリント紙Ｐｕｐ…を綴じる等によりオリジナルパンフレットＰｕとして作成することができる。なお、図２中、（Ｓ７）は、図１中のステップＳ７と同じ態様、即ち、消費者Ｕがディスプレイ１３を見てページＰｐ…を選択する態様を示している。
【００３１】
この後、消費者Ｕは事業者Ｂのところに出向き、具体的な取引（商談）を進めることができるとともに、この際、オリジナルパンフレットＰｕを持参する（ステップＳ９）。なお、消費者Ｕが事業者Ｂのところに出向いた例を示したが、勿論、事業者Ｂが消費者Ｕのところへ訪問する場合であってもよいし、或いは電話やメール等により取引を行ってもよい。取引を進め、取引が成立したとすれば、事業者Ｂは、消費者Ｕの作成したオリジナルパンフレットＰｕの全ページＰｐ…の価値を集計し、対応する価格に換算する（ステップＳ１０，Ｓ１１）。そして、得られた価格分を消費者Ｕに還元する。この場合、現金で還元してもよいし、価格割引により還元してもよい。なお、図２中、（Ｓ１０），（Ｓ１２）は、図１中のステップＳ１０，Ｓ１２とそれぞれ同じ態様、即ち、消費者Ｕと事業者Ｂの取引が成立し、消費者Ｕに価格分を還元する態様を示している。
【００３２】
よって、このような本実施形態に係るインターネット画面Ｖｉのパンフレット類処理方法によれば、パンフレット類ＰのデータＤｐをページＰｐ…毎にプリントアウト可能にするとともに、各ページＰｐ…を他の価値に変換するための価値表示部Ｖｉｓ…を表示し、作成したパンフレット類ＰのデータＤｐを、不特定多数の端末Ｃ１，Ｃ２，Ｃ３…により閲覧可能となるように、インターネットＮ上にアップロードできるようにしたため、消費者は、自分にとって必要なページＰｐ…のみを収めた、いわば、オリジナルパンフレットやオリジナルカタログ等のオリジナルパンフレット類を作成することができる。しかも、この場合、オリジナルパンフレット類は、他の価値に変換することができるため、消費者自身の出費により作成するものではなく、最終的に事業者のコストにすることができる。この結果、従来のような印刷物は不要になり、事業者及び消費者の双方にとって必要な紙のみが使用されるとともに、その促進化が可能となり、大量の紙が消費される従来の問題を有効に解決でき、自然環境の保護にも大きく貢献できる。
【００３３】
また、特に、事業者は、印刷物としてのパンフレット類が不要となり、データ化されたパンフレット類のみを用意すれば足りるため、コスト面での負担を著しく低減できるとともに、情報量や質の確保も十分に可能となり、中小企業や個人等の事業者にとって大きなメリットとなる。また、結果的に、商品価格の値下げやサービスの向上など、消費者のメリットとして還元できるとともに、不必要に厚いパンフレット類が排除されることから消費者の利便性向上にも寄与できる。
【００３４】
次に、本実施形態に係るインターネット画面Ｖｉのパンフレット類処理方法の変更例について、図５及び図６を参照して説明する。図５及び図６は、いずれも価値表示部Ｖｉｓの表示内容に係わる変更例である。
【００３５】
図５は、各ページＰｐ…を他の価値に変換するための価値表示部Ｖｉｓの表示内容を、各ページＰｐ…に割り当てられたポイントの表示Ｖｉｓｐに変更したものである。図５も図４と同様に、価値表示部Ｖｉｓは、ページＰｐの右下隅に表示するとともに、具体的な表示として「〇〇〇ポイント」の表示を行う例を示している。「〇〇〇ポイント」は、「〇〇〇ポイント」が表示されたページＰｐの価値が、〇〇〇ポイントであることを示し、表示されたページＰｐは他の価値である「〇〇〇ポイント」に変換できる。「〇〇〇ポイント」と表示することにより、ポイント数を、図４に示した価格に変換して利用することもできるし、後述する図６に示すような商品及び／又はサービスと交換できるようにすることもできる。このように、価値表示部Ｖｉｓに、各ページＰｐ…に割り当てられたポイントに係わる表示Ｖｉｓｐを行うようにすれば、価格に対して間接的な態様により実施できるため、消費者は比較的抵抗感なく利用できる。
【００３６】
図６は、各ページＰｐ…を他の価値に変換するための価値表示部Ｖｉｓの表示内容を、一又は二以上のページＰｐ…に対応させた他の商品及び／又はサービスに係わる表示Ｖｉｓｇを行うように変更したものである。したがって、図６に示すように、パンフレット類ＰのトップページＰｐｆ等に説明表示部Ｖｉｔを表示するとともに、この表示内容を変更した。この変更例では、ページＰｐ…の枚数により変換するようにしたため、各ページＰｐ…毎に価値表示部Ｖｉｓを表示することはしない。説明表示部Ｖｉｔが、いわば価値表示部Ｖｉｓを兼ねており、このような実施態様も、各ページＰｐ…に、各ページＰｐ…を他の価値に変換するための価値表示部Ｖｉｓ…を表示する態様に含む概念である。
【００３７】
例示の説明表示部Ｖｉｔ（価値表示部Ｖｉｓ）は、「−特典−  ご来社時に必要なページをプリントしてお持ち下さい（取引成立時にページ数に応じて次の商品・サービスと交換）  ・〇〇〇ポイント以上：商品Ａ，・〇〇〜〇〇ポイント：商品Ｂ，・〇〜〇〇ポイント：商品Ｃ」を表示した例を示している。このように、説明表示部Ｖｉｔ（価値表示部Ｖｉｓ）に、一又は二以上のページＰｐ…に対応させた他の商品及び／又はサービスに係わる表示Ｖｉｓｇを行うようにすれば、ポイントに対して更に間接的な態様により実施可能となるため、消費者はより抵抗感なく楽しみながら利用できる。
【００３８】
以上、好適実施形態（変更例を含む）について詳細に説明したが、本発明は、このような実施形態に限定されるものではなく、細部の構成，形状，素材，数量，数値等において、本発明の要旨を逸脱しない範囲で、任意に変更，追加，削除することができる。
【００３９】
例えば、端末Ｃ１，Ｃ２，Ｃ３…として、パソコンを例示したが、インターネットに接続し、プリントアウト可能に構成される各種通信機器を利用することができる。また、データＤｐを作成するフォーマットも本発明を実施可能であれば、各種方式を利用できる。さらに、価値表示部Ｖｉｓ…として、価格に係わる表示Ｖｉｓｍ，ポイントに係わる表示Ｖｉｓｐ，商品及び／又はサービスに係わる表示Ｖｉｓｇを例示したが、同様の作用及び効果を生じる他の各種価値を適用することができる。なお、パンフレット類Ｐとして、パンフレット，カタログ，の一方又は双方を含ませる場合を例示したが、その他、商品説明書や案内書等の事業者が発行する各種印刷物を対象にすることができる。また、事業者とは、営利事業者であるか非営利事業者であるかを問わないとともに、基本的にパンフレット類Ｐを発行する者を全て含む概念である。さらに、パンフレット類ＰのページＰｐ…毎とは、必ずしも一枚毎という意味ではない。したがって、一枚のページＰｐの上段と下段にそれぞれ価値表示部Ｖｉｓ…が表示される場合を排除するものではないし、一つの価値表示部Ｖｉｓが複数のページＰｐ…を対象としていてもよい。また、プリントに際しても、一枚に複数ページＰｐ…がプリントされていてもよいし、一ページＰｐの一部のみがプリントされていてもよい。
【産業上の利用可能性】
【００４０】
本発明に係るインターネット画面のパンフレット類処理方法は、インターネット上にアップロードされたパンフレット類の処理に利用できる。
【符号の説明】
【００４１】
Ｎ：インターネット，Ｃ１：端末，Ｃ２：端末，Ｃ３…：端末，Ｐ：パンフレット類，Ｄｐ：パンフレット類のデータ，Ｐｐ…：ページ，Ｖｉｓ…：価値表示部，Ｖｉｓｍ：価格に係わる表示，Ｖｉｓｐ：ポイントに係わる表示，Ｖｉｓｇ：商品及び／又はサービスに係わる表示
【図１】
2015005158.tif 000003
【図２】
2015005158.tif 000004
【図３】
2015005158.tif 000005
【図４】
2015005158.tif 000006
【図５】
2015005158.tif 000007
【図６】
2015005158.tif 000008